(57)【要約】【課題】表示装置の表示による遊技に偏ることなく、遊技球の動きによっても興趣を増大させ得る遊技機を提供する。【解決手段】遊技領域に設けられた表示装置と、それより下方に設けられて通過後の入賞確率が高い高確率流路と入賞確率が低い低確率流路に振分ける球振分け部7と、球を受け入れる球受け口6と、受入れた球を球振分け部7に導く導入通路8とを備えた遊技機であって、球振分け部7は、左右横方向に延び且つ球が横方向に転がり得る勾配を有する棚通路14a〜14cと、棚通路14a上にあって高確率流路と低確率流路に分岐する分岐部23cと、そこを通って高確率流路側に流れた球を検出する球センサ25c,25s1,25s2と、球センサ25c,25s1,25s2の検出信号を受けて球センサ25c,25s1,25s2の近傍で且つ遊技者に視認可能な状態に発光させる発光体26a〜26gと、を有することを特徴とする。【選択図】        図１
2011229747.tif 000002
【特許請求の範囲】
【請求項１】
遊技板に形成された遊技領域と、
該遊技領域に設けられた表示装置と、
遊技領域の前記表示装置より下方に設けられて通過後の入賞確率が高い高確率流路と通過後の入賞確率が低い低確率流路に遊技球を振り分ける球振分け部と、
遊技領域を流下する遊技球を前記球振分け部より上方で受け入れ得る球受け口と、
該球受け口で受け入れた遊技球を前記球振分け部に導く導入通路と、を備えた遊技機であって、
前記球振分け部は、
遊技領域の左右横方向に延び且つ前記導入通路から受け入れた遊技球が横方向に転がり得る勾配を有する１本又は上下方向に段差を付けて前後方向に並べた複数本の棚通路と、
該棚通路上にあって前記高確率流路と前記低確率流路に分岐する分岐部と、
該分岐部を通って前記棚通路の高確率流路側に流れた遊技球を検出する球センサと、
該球センサの検出信号を受けて該球センサの近傍で且つ遊技者に視認可能な状態に発光させる発光体と、
を有することを特徴とする遊技機。
【発明の詳細な説明】
【技術分野】
【０００１】
遊技板の遊技領域に、遊技用の表示装置と、遊技球を入賞確率の高い高確率流路と入賞確率の低い低確率流路に振り分ける球振分け部と、を備えた遊技機に関する。
【背景技術】
【０００２】
従来より、遊技板に形成された遊技領域と、該遊技領域に設けられた例えば液晶等の表示画面による表示装置と、遊技領域の前記表示装置より下方に設けられ遊技球を入賞確率の高い高確率流路と入賞確率の低い低確率流路に振り分ける球振分け部と、遊技領域を流下する遊技球を前記球振分け部より上方で受け入れ得る球受け口と、該球受け口で受け入れた遊技球を前記球振分け部に導く導入通路と、を備えた遊技機が、例えば特許文献１に記載されている。
【先行技術文献】
【特許文献】
【０００３】
【特許文献１】特開２００６−２８０５３０号公報
【発明の概要】
【発明が解決しようとする課題】
【０００４】
近年、表示装置が大型化し、大掛かりな表示に偏った遊技態様が多くなっており、遊技球の動きを楽しむという遊技機本来の醍醐味が失われつつある。
【０００５】
本発明は、上記に鑑みなされたもので、その目的は、表示装置の表示による遊技に偏ることなく、遊技球の動きによっても興趣を増大させ得る遊技機を提供することにある。
【課題を解決するための手段】
【０００６】
上記の目的を達成するため本発明は、遊技板に形成された遊技領域と、該遊技領域に設けられた表示装置と、遊技領域の前記表示装置より下方に設けられて通過後の入賞確率が高い高確率流路と通過後の入賞確率が低い低確率流路に遊技球を振り分ける球振分け部と、遊技領域を流下する遊技球を前記球振分け部より上方で受け入れ得る球受け口と、該球受け口で受け入れた遊技球を前記球振分け部に導く導入通路と、を備えた遊技機であって、
前記球振分け部は、遊技領域の左右横方向に延び且つ前記導入通路から受け入れた遊技球が横方向に転がり得る勾配を有する１本又は上下方向に段差を付けて前後方向に並べた複数本の棚通路と、該棚通路上にあって前記高確率流路と前記低確率流路に分岐する分岐部と、該分岐部を通って前記棚通路の高確率流路側に流れた遊技球を検出する球センサと、該球センサの検出信号を受けて該球センサの近傍で且つ遊技者に視認可能な状態に発光させる発光体と、を有する遊技機を提供する。
【発明の効果】
【０００７】
球振分け部に入った遊技球が、分岐部を通って棚通路の高確率流路側に流れると発光体が光ってその光が表示装置を凝視している遊技者の視界にも入る。これにより遊技球が入賞確率の高い高確率流路に入ったことが判るため、遊技者の注意が遊技球の方に向けられ、その後の遊技球の動きが遊技者の興趣を増大させる。したがって、表示装置の表示による遊技に偏ることなく、遊技球の動きによっても興趣を増大させることができ、結局、表示装置による遊技と、遊技球の動きによる遊技の相乗作用により、遊技機全体の興趣を増大させ得る。
【図面の簡単な説明】
【０００８】
【図１】可動球受け部材を開状態にした球振分け部の分解斜視図である。
【図２】可動球受け部材を開状態にした球振分け部の斜視図である。
【図３】可動球受け部材を閉状態にした球振分け部の正面図である。
【図４】可動球受け部材を閉状態にした球振分け部の平面図である。
【図５】図３の中央縦断面図である。
【図６】可動球受け部材を開状態にした図３の中央縦断面図である。
【図７】（ａ）〜（ｃ）は、球センサと発光体の対応関係を説明する各要素の配置正面図である。
【図８】（ａ）〜（ｃ）は、可動球受け部材と球センサと発光体の対応関係を説明する各要素の配置正面図である。
【図９】遊技板の正面図である。
【図１０】他の形態を示す球振分け部の斜視図である。
【発明を実施するための形態】
【０００９】
以下に本発明の実施の形態について図面を参照しつつ説明する。
遊技機は、周知のように四角い枠状の外枠と、その外枠の前面に横開きの扉状に取り付けた前枠と、その前枠の後面に回動可能な状態に取り付けた機構盤と、を有する。前記前枠は、大きな開口を有するフレーム形態であり、その開口の後面側に図９に示したような遊技板１が着脱交換可能な状態にして装着されている。また、前枠の前面には、遊技板１の前面を透明板で覆う前面扉が開閉可能な状態で取り付けられている。
【００１０】
前記遊技板１は、木又は合成樹脂製であり、その前面には、図９に示したように案内レール２で囲った略円形の遊技領域３がある。そして、この遊技領域３のほぼ中央に前後方向に貫通する表示開口４が開設されており、その表示開口４に液晶等の表示画面５ａを遊技者側に向かわせる状態にして表示装置５の表示本体部５ｂが遊技板１の裏側から取り付けられている。
【００１１】
さらに遊技板１の遊技領域３には、前記表示本体部５ｂと対をなして表示装置５の前半部分を構成する表示囲い枠５ｃが設けられている。該表示囲い枠５ｃは、前記表示開口４の周囲を囲って遊技球の表示領域内への飛び込みを阻止し且つ表示画面５ａの周囲を適宜装飾する。
この表示囲い枠５ｃには、一側部に遊技球を受け入れ得るポケット状の球受け口６が突設されている。
また、表示囲い枠５ｃの下辺部には、遊技球を有利・不利に振り分ける球振分け部７が形成されており、該球振分け部７と前記球受け口６とがトンネル状の導入通路８でつながっている。したがって球受け口６に入った遊技球は、導入通路８を通って球振分け部７に導かれる。
【００１２】
また、遊技領域３には、前記球振分け部７の下側に始動入賞口９が設けられ、さらにその下側に横長長方形の開閉板１０ａを設けた可変入賞装置１０と、遊技球の落下方向を変化させる障害釘１１と、遊技球の落下勢を受けて回転する風車１２と、入賞しなかった遊技球を回収するアウト口１３等が設けられている。前記始動入賞口９は、前記球振分け部７の縦の中心線上に開設した後述する球出口２２の真下に設けられており、したがって該球出口２２から落下する遊技球がきわめて高い確率で入賞するようになっている。
【００１３】
［球振分け部］
前記球振分け部７は、図９に示したように表示装置５の表示画面５ａの下辺に沿うように設けられている。この球振分け部７は、表示画面５ａの横幅と同等か又はそれより若干小さい横幅寸法を有し、また、遊技板１の前面から表示画面５ａの前面までの奥行き寸法を有する。球振分け部７は、図１に示したように表示装置５とは別体の樹脂成形品であり、上面に３本の棚通路１４ａ〜１４ｃが形成されている。
【００１４】
［球振分け部−棚通路］
前記棚通路１４ａ〜１４ｃは、遊技領域３の左右横方向に延び且つ遊技球が横方向に転がり得る勾配を有する。
具体的に一番奥（後側）の棚通路１４ａは、長さの中央が最も低くなっていて遊技球が中央に向かって転がる緩やかな勾配を有する。また、棚通路１４ａは、図５，図６の断面図に示したように前側から後側に向けて下る傾きの緩斜面になっており、よって遊技球は、緩斜面に沿って棚通路１４ａの後方寄りの位置を通る。
なお、図１，図２に想像線で示したように前記導入通路８の球出口は、この棚通路１４ａに対応しており、したがって前記球受け口６に入った遊技球は、導入通路８を通って棚通路１４ａに放出される。
【００１５】
次に、中間の棚通路１４ｂは、中央部分に遊技球３個分強の横幅にした凹状の球落下空間１５を設けてその球落下空間１５に向けて緩やかな勾配を有する。しがたって中間の棚通路１４ｂに入った遊技球は、その全てが球落下空間１５の側方に落下する。
【００１６】
次に、一番手前の棚通路１４ｃは、中央に山形傾斜部１６を設けると共に該山形傾斜部１６と棚通路１４ｃの両端との間を低くし、その低所に向けて遊技球が集まる勾配を有する。
【００１７】
３本の棚通路１４ａ〜１４ｃは、いわゆる「棚田」のように奥の棚通路１４ａから手前の棚通路１４ｃにかけて段階的に低くなっており、手前の棚通路１４ｃは図４〜図６に示したように遊技領域３とほぼ面一になっている。そのため各棚通路１４ａ〜１４ｃの前縁に遊技球の越境落下（隣の棚通路１４ｂ，１４ｃ又は遊技領域３への落下）を防止するための低いガイド壁１７ａ〜１７ｃが上向きに突設されている。
【００１８】
奥の棚通路１４ａの前記ガイド壁１７ａには、該棚通路１４ａの最も低い中央位置とそこに至る中間位置に遊技球が通過可能な開放部１４ａｃ，１４ａｓ，１４ａｓが設けてあり、その部分では奥の棚通路１４ａと中間の棚通路１４ｂが連通している。特に、中央位置の開放部１４ａｃは、中間の棚通路１４ｂの球落下空間１５と連通している。
また、中間の棚通路１４ｂは、球落下空間１５の底部１５ａが手前の棚通路１４ｃの山形傾斜部１６の直上に位置して開放状態になっており、その部分では中間の棚通路１４ｂと手前の棚通路１４ｃが連通している。
また、手前の棚通路１４ｃのガイド壁１７ｃには、該棚通路１４ｃの最も低い場所に遊技球が通過可能な開放部１４ｃａ，１４ｃａが設けてあり、その部分では棚通路１４ｃと遊技領域３が連通している。
【００１９】
一方、棚通路１４ｂの球落下空間１５の中央には該球落下空間１５の後を塞ぐ後壁１５ｂにほぼ遊技球１個分の広さの球入口１８が開設されている。そして、その球入口１８に上開き可能なように可動球受け部材１９が軸着されており、該可動球受け部材１９をソレノイド２０で図５，図６のように起立・傾動させることにより前記球入口１８を強制開閉し、図６の開状態のとき可動球受け部材１９から球入口１８に遊技球が流れ込むようになっている。なお、前記のように球落下空間１５は遊技球３個分強の横幅を有するため、可動球受け部材１９を挟んで球落下空間１５の左右両側にそれぞれ遊技球１個が通過可能な落下流路が形成される。
【００２０】
また、可動球受け部材１９は、前記球落下空間１５の後壁１５ｂの裏側で樋状の高確率出口通路２１につながっている。この高確率出口通路２１は、棚通路１４ｃの山形傾斜部１６の下に開設した球出口２２につながっており、したがって可動球受け部材１９で受けられた遊技球は、図６のように高確率出口通路２１を通って球出口２２から遊技領域３に落下する。
なお、球出口２２の真下には前記のように始動入賞口９が設置されているため、可動球受け部材１９に入った遊技球は、球出口２２から落下して高い確率で始動入賞口９に入賞する。ちなみに、手前の棚通路１４ｃの開放部１４ｃａ，１４ｃａから遊技領域３に落下する遊技球は始動入賞口９から外れた位置に落下するため、始動入賞口９に入賞する確率は球出口２２から落下する場合に比べてきわめて低い。
【００２１】
以上の説明で明らかなように実施形態の球振分け部７は、大別して「奥の棚通路１４ａ→球落下空間１５の中央→可動球受け部材１９→高確率出口通路２１→球出口２２→遊技領域３」へと流れる流路と、「奥の棚通路１４ａ→球落下空間１５の側方から底部１５ａ→手前の棚通路１４ｃ→開放部１４ｃａ→遊技領域３」へと流れる流路がある。そして、前者が、遊技領域３の始動入賞口９への入賞確率がきわめて高い高確率流路であり、後者が、遊技領域３の始動入賞口９への入賞確率が低い低確率流路である。
【００２２】
さて、実施形態の球振分け部７は、前記高確率流路と低確率流路に分岐する分岐部２３ｃ，２３ｓ，２３ｓを奥の棚通路１４ａに形成したものである。
すなわち第１の分岐部２３ｓは、棚通路１４ａの前記開放部１４ａｓに対応し且つ棚通路１４ａを横断して遊技者側に向かう方向に下りつつ漸次拡幅する形状にした窪みによって構成される。したがって、遊技球の勢いが弱いと分岐部２３ｓの窪みに嵌って中間の棚通路１４ｂ、つまり前記低確率流路に振り分けられ、遊技球に勢いがあると分岐部２３ｓの窪みを越えて棚通路１４ａの前記高確率流路に流れる。
【００２３】
また、第２の分岐部２３ｃは、棚通路１４ａ中央の前記開放部１４ａｃに対応し且つ棚通路１４ａを横断して遊技者側に向かう方向に下りつつ漸次拡幅する形状にした窪みと、その窪みの中央に蒲鉾状に突設した２本の誘導路２４，２４と、によって構成される。したがって、遊技球の勢いが弱いと誘導路２４を越えられずに窪みの脇から球落下空間１５の側方、つまり前記低確率流路に振り分けられ、遊技球が１本の誘導路２４を越えて誘導路２４，２４の間に入ると、球落下空間１５の中央、つまり高確率流路側に振り分けられる。もちろんその遊技球が球落下空間１５の可動球受け部材１９に載ってさらに高確率流路に進むか、可動球受け部材１９から外れて低確率流路に進むかは、可動球受け部材１９の開閉タイミングと遊技球の落下タイミングに依る。
【００２４】
しかして実施形態の球振分け部７には、前記分岐部２３ｓ，２３ｓ，２３ｃの高確率流路側に流れた遊技球を検出する球センサ２５ｓ１，２５ｓ２，２５ｃと、該球センサ２５ｓ１，２５ｓ２，２５ｃの検出信号を受けて発光する発光体２６ａ〜２６ｇが設けられている。
【００２５】
前記球センサ２５ｓ１，２５ｓ２，２５ｃは例えば近接スイッチであり、棚通路１４ａの下に設置して遊技球を検出する。なお、球センサ２５ｓ１，２５ｓ２，２５ｃは、近接スイッチに限らず、遊技球の電気的な検出が可能であればどのような方式・構造のものでもよい。
【００２６】
前記発光体２６ａ〜２６ｇは例えばＬＥＤであり、前記球落下空間１５の後壁１５ｂを透光性の合成樹脂で形成すると共に該後壁１５ｂの後面に対向設置した基板２７に配設される。発光体２６ａ〜２６ｇは、球落下空間１５の可動球受け部材１９の周囲に設けられており、全体で「Ｖ」字を構成するように配置が決められている（図８（ｃ）参照）。
【００２７】
発光体２６ａ〜２６ｇはそれぞれ球センサ２５ｓ１，２５ｓ２，２５ｃに割り付けられており、図７（ａ）のように球センサ２５ｓ１に対応して発光体２６ａ，２６ｂが発光し、図７（ｂ）のように球センサ２５ｓ２に対応して発光体２６ｃ，２６ｄが発光し、図７（ｃ）のように球センサ２５ｃに対応して発光体２６ｅ，２６ｆ，２６ｇが発光する。
【００２８】
なお、実施形態では前記高確率出口通路２１にも球センサ２５ｖが設けられており、この球センサ２５ｖに対応して図８（ｃ）のように前記発光体２６ａ〜２６ｇの全てが一斉に発光し、全体として「Ｖ」の字が光って見えるようになっている。また、基板２７には可動球受け部材１９の真後ろに対応する位置に発光体２６ｈが取り付けられており、図８（ｂ）のように可動球受け部材１９の開くタイミングに合わせて該発光体２６ｈが発光するようになっている。
【００２９】
その他、図１において符合２８は、球落下空間１５の後壁１５ｂと一体に形成した駆動ユニットケースであり、該駆動ユニットケース２８に可動球受け部材１９を駆動するソレノイド２０と、該ソレノイド２０のプランジャ２０ａと可動球受け部材１９とを連繋させる揺動レバー２９が組み付けられている。なお、図１に示したように可動球受け部材１９は後壁１５ｂに軸着されているため、結局可動球受け部材１９とそれを開閉動作させる駆動機構がユニット化されている。
【００３０】
次に、実施形態の遊技機の遊技方法の一例について説明する。
まず、遊技機は、遊技領域３の始動入賞口９に遊技球が入賞すると表示装置５の表示画面５ａ上で文字・数字・図柄等の画像を変化させ、それらが所定の組み合わせになったとき大当たりのプログラムを実行し、遊技領域３の低所に位置する前記可変入賞装置１０の開閉板１０ａをソレノイド（図示せず）等の駆動により所定の態様で開いて入賞の機会を飛躍的に大きくする。
一方、球振分け部７の球落下空間１５に設けた可動球受け部材１９は、ソレノイド２０の駆動により所定のタイミングで開閉し、また、その可動球受け部材１９の開くタイミングに合わせて前記発光体２６ｈが発光する。
【００３１】
しかして、遊技領域３に打ち込まれた遊技球が球受け口６に入ると、導入通路８を通って球振分け部７の棚通路１４ａに放出される。したがって遊技球が棚通路１４ａ上を転がり、まず、分岐部２３ｓでそのまま直進して高確率流路に行くか、窪みに嵌って中間の棚通路１４ｂ、つまり低確率流路に行くかが振り分けられる。
【００３２】
ここでもし遊技球が低確率流路に流れた場合は、前記のように球落下空間１５の側方を通って手前の棚通路１４ｃの開放部１４ｃａから遊技領域３に落下し、多くの遊技球はそのまま入賞することなくアウト口１３に至る。
【００３３】
一方、遊技球が第１の分岐部２３ｓを越えて直進し高確率流路側に流れた場合は、その遊技球が球センサ２５ｓ１で検出され、図７（ａ）のように発光体２６ａ，２６ｂが光る。これによりもし遊技者が表示画面５ａを見ていたとしても、発光体２６ａ，２６ｂの光を感じて遊技球が高確率流路側に流れたことが判る。
【００３４】
続いて遊技球が第２の分岐部２３ｃに差し掛かり、ここで誘導路２４を乗り越えられなければ、開放部１４ａｃの脇から球落下空間１５の側方に零れて前記した低確率流路を辿る。一方、分岐部２３ｃで遊技球が誘導路２４，２４の間に入ると、そこは球落下空間１５の中央を通る高確率流路であるため、球センサ２５ｃがそれを検出して発光体２６ｅ，２６ｆ，２６ｇを図７（ｃ）のように光らせる。
【００３５】
なお、奥の棚通路１４ａに入った遊技球の勢いが強い場合は、第２の分岐部２３ｃを通過し、さらにはその先の分岐部２３ｓをも通過する可能性があり、それらの場合は棚通路１４ａの勾配で逆向きに転がって再度分岐部２３ｓ或は分岐部２３ｃで振り分けられる。この場合、棚通路１４ａ上で転動する遊技球の動きに追従して図７（ａ）、図７（ｃ）、図７（ｂ）、さらにはその逆、というように発光体２６ａ〜２６ｇが光るため、遊技球の動きが非常に判りやすい。
【００３６】
続いて球落下空間１５の中央に落下した遊技球は、その落下のタイミングと可動球受け部材１９が閉じているタイミングとが合致したとき、図５のようにそのまま球落下空間１５の底部１５ａまで落下して低確率流路に流れ、前記のように手前の棚通路１４ｃの開放部１４ｃａから遊技領域３に落下する。
一方、落下のタイミングと可動球受け部材１９が開いているタイミングとが合致したとき、遊技球は図６のように球入口１８を通って高確率出口通路２１に入り、そこで球センサ２５ｖによって検出され、発光体２６ａ〜２６ｇが光って「Ｖ」字を浮き上がらせ、始動入賞口９への入賞がほぼ確実になったことを遊技者に知らせる。
なお、可動球受け部材１９が開いたときその真後ろにある発光体２６ｈが光るため、そのタイミングで遊技球が球落下空間１５の中央に落下して可動球受け部材１９に入ると、遊技球が光の中に吸い込まれたように見える。この演出により遊技者の興趣を増大させることができる。
【００３７】
ここまでの説明で明らかなように、ここに至るまで発光体２６ａ〜２６ｇによる入賞予告的な発光が行われており、その結果、遊技者の注意が球振分け部７に向けられている可能性が高いため、発光体２６ａ〜２６ｇによる「Ｖ」の演出を遊技者が見る確率は高い。
【００３８】
その後、遊技球が高確率出口通路２１を流下し、球出口２２から遊技領域３に落下して高い確率で始動入賞口９に入賞する。
【００３９】
以上、本発明を実施の形態について説明したが、もちろん本発明は上記実施形態に限定されるものではない。例えば実施形態では棚通路１４ａの一方の端に遊技球が供給される例を示したが、棚通路１４ａの両方の端に遊技球が供給されるようにしてもよい。
【００４０】
また、実施形態では、棚通路が３本の例を示したが、図１０に示したように最低１本の棚通路１４ａがあれば遊技球の振分けは可能である。
また、実施形態は、可動球受け部材１９も実質的な分岐部になっていて、第１の分岐部２３ｓで振り分け、第２の分岐部２３ｃでさらに振り分け、第３の分岐部たる可動球受け部材１９で最終的に振り分ける、というように分岐部を多層に連ねたものに相当し、分岐部を１段階クリアするごとに発光表示して入賞の期待度をいわゆる「リーチ」のごとく高めるようにしたものであるが、図１０のように１回の振分けで遊技領域３に落下させるようにしてもよい。もっとも実施形態のように分岐部を多層に連ねて各段階で高確率流路への移動を発光表示する構成の方が、遊技者の興趣を増大させる効果が高いことは言うまでもない。
【００４１】
ところで上記実施形態は、次のような技術的思想を含んでいる。
［技術的思想Ａ］
遊技板に形成された遊技領域と、
該遊技領域に設けられた表示装置と、
遊技領域の前記表示装置より下方に設けられて通過後の入賞確率が高い高確率流路と通過後の入賞確率が低い低確率流路に遊技球を振り分ける球振分け部と、
遊技領域を流下する遊技球を前記球振分け部より上方で受け入れ得る球受け口と、
該球受け口で受け入れた遊技球を前記球振分け部に導く導入通路と、を備えた遊技機であって、
前記球振分け部は、
遊技領域の左右横方向に延び且つ遊技球が横方向に転がり得る勾配を有する棚通路と、
該棚通路上にあって前記高確率流路と前記低確率流路に分岐する分岐部と、
前記棚通路を転がる遊技球を検出する球センサと、
該球センサの検出信号を受けて該球センサの近傍で且つ遊技者に視認可能なように発光させる発光体と、を備え、
遊技球が前記棚通路の前記球センサの検出可能領域を通過する度に前記発光体を発光させるようにした遊技機。
【００４２】
［技術的思想Ｂ］
遊技板に形成された遊技領域と、
該遊技領域に設けられた表示装置と、
遊技領域の前記表示装置より下方に設けられて通過後の入賞確率が高い高確率流路と通過後の入賞確率が低い低確率流路に遊技球を振り分ける球振分け部と、
遊技領域を流下する遊技球を前記球振分け部より上方で受け入れ得る球受け口と、
該球受け口で受け入れた遊技球を前記球振分け部に導く導入通路と、を備えた遊技機であって、
前記球振分け部は、
遊技領域の左右横方向に延び且つ遊技球が横方向に転がり得る勾配を有する棚通路と、
該棚通路上にあって前記高確率流路と前記低確率流路に分岐する分岐部と、
前記棚通路を転がる遊技球を検出する球センサと、
該球センサの検出信号を受けて該球センサの近傍で且つ遊技者に視認可能なように発光させる発光体と、を備え、
前記高確率流路は、
前記棚通路の前記分岐部の前方下方に形成した球落下空間と、
該球落下空間の中心位置で球入口を開閉させ、開状態のとき球落下空間の中央を落下する遊技球を受け入れ得るようにした可動球受け部材と、
該可動球受け部材に連通する高確率出口通路と、を有し、
前記低確率流路は、前記球落下空間の側方であって前記可動球受け部材の横を通って落下するものであり、
前記発光体は、前記球落下空間の後壁を透光性に形成して該後壁の後面に対向設置したものである遊技機。
【００４３】
これらの遊技機は、球振分け部に入った遊技球が、棚通路上を転がって球センサの検出可能領域を通過する度に発光体が光るため、その光が表示装置を凝視している遊技者の視界にも入り、遊技者の注意が遊技球の動きに向けられる。したがって、近年の表示装置の大掛かりな表示に偏った遊技態様から、遊技球の動きを楽しむという遊技機本来の醍醐味を遊技者に与えることができる。
【符号の説明】
【００４４】
１  …遊技板
３  …遊技領域
５  …表示装置
７  …球振分け部
６  …球受け口
８  …導入通路
１４ａ〜１４ｃ…棚通路
２３ｃ…分岐部
２３ｓ…分岐部
２５ｃ…球センサ
２５ｓ１…球センサ
２５ｓ２…球センサ
２５ｖ…球センサ
２６ａ〜２６ｇ，２６ｈ…発光体
【図１】
2011229747.tif 000003
【図２】
2011229747.tif 000004
【図３】
2011229747.tif 000005
【図４】
2011229747.tif 000006
【図５】
2011229747.tif 000007
【図６】
2011229747.tif 000008
【図７】
2011229747.tif 000009
【図８】
2011229747.tif 000010
【図９】
2011229747.tif 000011
【図１０】
2011229747.tif 000012